(57)【要約】【課題】  ユーザの操作性を向上させ、かつ安価な構成にて音楽データを再生することができる「車載用音響システム」を提供する。【解決手段】  車載用音響システム１０は、車内に設置され音楽データの再生機能を備えた車載用音響装置２０と、車載用音響装置２０に接続される複数の携帯用音響端末３０−１〜３０−４とを有する。携帯用音響端末は、音楽データを記憶する記憶部と、入力部と、ディスプレイと、車載用音響装置２０と制御データ４０および音楽データ４２の双方向通信を可能とするデータ通信部とを含んでいる。車載用音響装置２０は、携帯用音響端末と双方向のデータ通信を可能とするデータ通信部と、携帯用音響端末から送信された制御データに基づき車載用音響装置や他の携帯用音響端末の動作を制御するコントローラとを有する。【選択図】      図２
2008021337.tif 000002
【特許請求の範囲】
【請求項１】
車内に設置され、音楽データの再生機能を備えた車載用音響装置と、
車載用音響装置に接続される複数の携帯用音響端末とを有し、
携帯用音響端末は、少なくとも音楽データを記憶する記憶手段と、ユーザからの入力を受け取る入力手段と、ディスプレイと、車載用音響装置と双方向のデータ通信を可能とする第１のデータ通信手段とを含み、
車載用音響装置は、携帯用音響端末と双方向のデータ通信を可能とする第２のデータ通信手段と、携帯用音響端末から第１のデータ通信手段を介して送信された制御データを第２のデータ通信手段を介して受信し、当該制御データに基づき車載用音響装置の動作を制御する制御手段と、
を有する車載用音響システム。
【請求項２】
前記制御手段は、前記制御データに基づき他の携帯用音響端末の動作を制御するための他の制御データを第２のデータ通信手段を介して他の携帯用音響端末に送信する、請求項１に記載の車載用音響システム。
【請求項３】
携帯用音響端末は、入力手段からの入力に応答して制御データを第１のデータ通信手段から送信する、請求項１に記載の車載用音響システム。
【請求項４】
前記制御手段は、携帯用音響端末の記憶手段に記憶されている音楽データに関するコンテンツ情報を要求する制御データを第２のデータ通信手段を介して送信する、請求項１ないし３いずれか１つに記載の車載用音響システム。
【請求項５】
前記制御手段は、第２のデータ通信手段を介して受信したコンテンツ情報に基づき音楽データのリストを作成する、請求項４に記載の車載用音響システム。
【請求項６】
前記制御手段は、同一の音楽データがリスト内に複数存在するとき、それぞれの音楽データが記憶されている携帯用音響端末を識別するための識別情報を付与する、請求項５に記載の車載用音響システム。
【請求項７】
前記制御手段は、前記リストを第２のデータ通信手段を介して携帯用音響端末に送信する、請求項３ないし６いずれか１つに記載の車載用音響システム。
【請求項８】
携帯用音響端末は、第１のデータ通信手段を介してリストを受信したとき、リストをディスプレイに表示する、請求項７に記載の車載用音響システム。
【請求項９】
携帯用音響端末の入力手段から前記リストに含まれる音楽データの再生の指示が入力されたとき、前記制御手段は、前記再生を要求する制御データを第２のデータ通信手段を介して受信し、前記制御データに基づき音楽データを生成する、請求項１ないし８いずれか１つに記載の車載用音響システム。
【請求項１０】
前記制御手段は、前記再生を要求する制御データを受信したとき、第２のデータ通信手段を介して再生すべき音楽データの送信を要求する制御データを携帯用音響端末に送信する、請求項９に記載の車載用音響システム。
【請求項１１】
携帯用音響端末の入力手段から検索の指示が入力されたとき、前記制御手段は、前記検索を要求する制御データを第２のデータ通信手段を介して受信し、前記制御データに基づき検索を実行する、請求項１ないし１０いずれか１つに記載の車載用音響システム。
【請求項１２】
前記制御手段は、音楽データの再生を行うとき、当該音楽データに関連する画像データを第２のデータ通信手段を介して受信し、受信した画像データを第２のデータ通信手段を介して携帯用音響端末に送信する、請求項１ないし１１いずれか１つに記載の車載用音響システム。
【請求項１３】
前記制御手段は、第２のデータ通信手段を介して表示情報を送信し、携帯用音響端末は、第１のデータ通信手段を介して受信した表示情報をディスプレイに表示する、請求項１ないし１２いずれか１つに記載の車載用音響システム。
【請求項１４】
車載用音響装置はナビゲーション機能を含み、前記制御手段は、ナビゲーション機能によって生成された表示情報を第２のデータ通信手段を介して送信する、請求項１３に記載の車載用音響システム。
【請求項１５】
車内に設置され音楽データの再生機能を含み、かつ複数の携帯用音響用端末が接続可能な車載用音響装置であって、
複数の音響用携帯端末との間で双方向のデータ通信を行うデータ通信手段と、
一の携帯用音響端末からデータ通信手段を介して受信した制御データに基づき、他の携帯用音響用端末の動作を制御する制御手段と、
を有する車載用音響装置。
【請求項１６】
前記制御手段は、前記制御データに基づき、他の携帯用音響端末に記憶されている音楽データに関するコンテンツ情報を要求する制御データをデータ通信手段を介して送信する、請求項１５に記載の車載用音響装置。
【請求項１７】
前記制御手段は、データ通信手段を介してコンテンツ情報を受信すると、携帯用音響端末の再生可能な音楽データのリストを作成する、請求項１６に記載の車載用音響装置。
【請求項１８】
前記制御手段は、データ通信手段を介してリストを携帯用音響端末に送信する、請求項１７に記載の車載用音響装置。
【請求項１９】
車載用音響装置と当該車載用音響装置に接続された複数の携帯用音響端末とを含む音響システムにおける音楽データの再生方法であって、
一の携帯用音響端末から指示を入力するステップと、
前記指示に応答して、携帯用音響端末から当該携帯用音響端末に含まれる音楽データに関するコンテンツ情報を車載用音響装置へ送信するステップと、
車載用音響装置においてコンテンツ情報に基づき再生可能な音楽データのリストを作成するステップと、
車載用音響装置から一の携帯用音響端末に対してリストを送信するステップと、
一の携帯用音響端末のディスプレイにリストを表示するステップと、
リストの中から再生すべき音楽データを選択するステップと、
選択された音楽データを他の携帯用音響端末から車載用音響装置へ送信するステップと、
車載用音響装置において送信された音楽データを再生するステップと、
を有する音楽データの再生方法。
【請求項２０】
車載用音響装置と当該車載用音響装置に接続された複数の携帯用音響端末とを含む音響システムにおける音楽データを再生するプログラムであって、
一の携帯用音響端末から指示を入力するステップと、
前記指示に応答して、携帯用音響端末から当該携帯用音響端末に含まれる音楽データに関するコンテンツ情報を車載用音響装置へ送信するステップと、
車載用音響装置においてコンテンツ情報に基づき再生可能な音楽データのリストを作成するステップと、
車載用音響装置から一の携帯用音響端末に対してリストを送信するステップと、
一の携帯用音響端末のディスプレイにリストを表示するステップと、
リストの中から再生すべき音楽データを選択するステップと、
選択された音楽データを他の携帯用音響端末から車載用音響装置へ送信するステップと、
車載用音響装置において送信された音楽データを再生するステップと、
を有する音楽データの再生プログラム。
【発明の詳細な説明】
【技術分野】
【０００１】
本発明は、車内において音楽データの再生機能を含む車載用音響システムに関し、特に、携帯用音響端末が接続されたときに、そこに含まれる音楽データ等の再生を行う車載用音響システムに関する。
【背景技術】
【０００２】
車両には、車内エンターテイメントを充実するため、ラジオやテレビ放送を受信したり、ＣＤ、ＤＶＤ、ハードディスク装置などに記憶された音楽データや画像データを再生するオーディオ・ビデオ装置が搭載されている。さらには、ナビゲーション機能を内蔵したオーディオ・ビデオ・ナビゲーション装置（以下、ＡＶＮ装置という）も広く実用化されている。
【０００３】
一方、ハードディスクや半導体メモリ等の小型化、高密度化が進んだことで、大量の音楽データを記憶し、再生することができる携帯用音響端末が利用されている。こうした携帯用音響端末を車内に持ち込み、携帯用音響端末に記憶された音楽データを車載用ＡＶＮ装置において再生することができれば、ユーザにとって非常に利便性が高い。
【０００４】
特許文献１は、車内に複数の携帯音響機器が持ち込まれたとき、各携帯音響機器と車載音響機器は、各機器間で車内無線通信を介して音楽データ等の送受信を行ない、車内無線通信の通信方式は、車内でそれぞれの機器が認識、認証し合い、音楽データの再生出力をリアルタイムに行うようにしている。これにより、乗員が携帯している携帯用音響機器の音楽データを車内で楽しむことができる自動車用音響装置を提供している。
【０００５】
【特許文献１】特開２００１−２９６８７５号
【発明の開示】
【発明が解決しようとする課題】
【０００６】
図１は、従来の車載用ＡＶＮ装置に複数の携帯用音響端末が接続されたときの音響システムを示す図である。車載用ＡＶＮ装置１には、フロントシートの乗員用の携帯用音響端末２−１、２−２と、リアシートの乗員用の携帯用音響端末２−３、２−４が接続されている。携帯用音響端末２（２−１〜２−４）は、それ自身が保有するハードディスク記憶装置や半導体メモリ等に格納された音楽データを再生し、またはそのような記憶媒体に音楽データを保存する機能を備えている。
【０００７】
ＡＶＮ装置１から携帯用音響端末２に対しては、携帯用音響端末２の動作を制御するための制御（コントロール）データ５が送信され、携帯用音響端末２からＡＶＮ装置１に対しては、音楽データ等のデータ４が送信される。つまり、ＡＶＮ装置１から各携帯用音響端末２を制御するように構成されている。携帯用音響端末２に含まれる音楽データをＡＶＮ装置１で再生しようとする場合、先ず、ＡＶＮ装置１は、携帯用音響端末２に対しそれらが保有している音楽データを送信するよう制御データ５を送信し、携帯用音響端末２から音楽データ４を受け取る。そして、音楽データを再生し、車内のスピーカから音声を出力させる。再生の停止等のオーディオ操作は、ＡＶＮ装置１に対して行われる。
【０００８】
ＡＶＮ装置１は、一般に、車内のフロントのインダッシュに取り付けられており、リアシートから直接ＡＶＮ装置１にアクセスしずらい。このため、リアシートからアクセスを可能にするための専用のコントロール端末３が用いられている。コントロール端末３は、ＡＶＮ装置１と有線または無線で接続され、ＡＶＮ装置１に対して制御データ６を送信する。ＡＶＮ装置１は、制御データ６に基づき携帯用音響端末２の動作を制御する。
【０００９】
しかしながら、上記のような専用のコントロール端末３を必要とすることは、ユーザの操作性に煩雑さを与え、好ましいことではない。さらに、車載用音響システムのコストを増加させるという課題もある。
【００１０】
本発明は、こうした従来の課題を解決するものであり、ユーザの操作性を向上させ、かつ安価な構成にて音楽データの再生等を実現することができる車載用音響システムを提供することを目的とする。
【課題を解決するための手段】
【００１１】
本発明に係る車載用音響システムは、車内に設置され、音楽データの再生機能を備えた車載用音響装置と、車載用音響装置に接続される複数の携帯用音響端末とを有し、携帯用音響端末は、少なくとも音楽データを記憶する記憶手段と、ユーザからの入力を受け取る入力手段と、ディスプレイと、車載用音響装置と双方向のデータ通信を可能とする第１のデータ通信手段とを含み、車載用音響装置は、携帯用音響端末と双方向のデータ通信を可能とする第２のデータ通信手段と、携帯用音響端末から第１のデータ通信手段を介して送信された制御データを第２のデータ通信手段を介して受信し、当該制御データに基づき車載用音響装置の動作を制御する制御手段とを有する。
【００１２】
携帯用音響端末は、入力手段からの入力に応答して制御データを第１のデータ通信手段から送信し、制御手段は、前記制御データに基づき他の携帯用音響端末の動作を制御するための他の制御データを第２のデータ通信手段を介して他の携帯用音響端末に送信する。
【００１３】
好ましくは制御手段は、携帯用音響端末の記憶手段に記憶されている音楽データに関するコンテンツ情報を要求する制御データを第２のデータ通信手段を介して送信し、制御手段は、第２のデータ通信手段を介して受信したコンテンツ情報に基づき音楽データのリストを作成する。制御手段は、同一の音楽データがリスト内に複数存在するとき、それぞれの音楽データが記憶されている携帯用音響端末を識別するための識別情報を付与するようにしてもよい。
【００１４】
また制御手段は、リストを第２のデータ通信手段を介して携帯用音響端末に送信し、携帯用音響端末は、第１のデータ通信手段を介してリストを受信したとき、リストをディスプレイに表示する。携帯用音響端末の入力手段から前記リストに含まれる音楽データの再生の指示が入力されたとき、制御手段は、再生を要求する制御データを第２のデータ通信手段を介して受信し、制御データに基づき音楽データを生成する。この場合、制御手段は、第２のデータ通信手段を介して再生すべき音楽データの送信を要求する制御データを携帯用音響端末に送信する。
【００１５】
好ましくは携帯用音響端末の入力手段から検索の指示が入力されたとき、制御手段は、前記検索を要求する制御データを第２のデータ通信手段を介して受信し、前記制御データに基づき検索を実行する。さらに、制御手段は、音楽データの再生を行うとき、当該音楽データに関連する画像データを第２のデータ通信手段を介して受信し、受信した画像データを第２のデータ通信手段を介して携帯用音響端末に送信するようにしてもよい。さらに、制御手段は、第２のデータ通信手段を介して表示情報を送信し、携帯用音響端末は、第１のデータ通信手段を介して受信した表示情報をディスプレイに表示するようにしてもよい。車載用音響装置がナビゲーション機能を含むとき、制御手段は、ナビゲーション機能によって生成された表示情報を第２のデータ通信手段を介して送信するようにしてもよい。
【００１６】
本発明に係る、車内に設置され音楽データの再生機能を含み、かつ複数の携帯用音響用端末が接続可能な車載用音響装置は、複数の音響用携帯端末との間で双方向のデータ通信を行うデータ通信手段と、一の携帯用音響端末からデータ通信手段を介して受信した制御データに基づき、他の携帯用音響用端末の動作を制御する制御手段とを有する。好ましくは、制御手段は、制御データに基づき、他の携帯用音響端末に記憶されている音楽データに関するコンテンツ情報を要求する制御データをデータ通信手段を介して送信する。
【００１７】
本発明に係る車載用音響装置と当該車載用音響装置に接続された複数の携帯用音響端末とを含む音響システムにおける音楽データの再生方法（またはプログラム）は、一の携帯用音響端末から指示を入力するステップと、指示に応答して、携帯用音響端末から当該携帯用音響端末に含まれる音楽データに関するコンテンツ情報を車載用音響装置へ送信するステップと、車載用音響装置においてコンテンツ情報に基づき再生可能な音楽データのリストを作成するステップと、車載用音響装置から一の携帯用音響端末に対してリストを送信するステップと、一の携帯用音響端末のディスプレイにリストを表示するステップと、リストの中から再生すべき音楽データを選択するステップと、選択された音楽データを他の携帯用音響端末から車載用音響装置へ送信するステップと、車載用音響装置において送信された音楽データを再生するステップとを有する。
【発明の効果】
【００１８】
本発明によれば、携帯用音響端末から車載用音響装置に対して制御データを送信し、車載用音響装置や他の携帯用音響端末の動作を制御できるようにしたので、ユーザの操作性の利便性が向上される。また、従来技術で用いたリアシート用の専用のリモート端末を省くことができ、システムの低コスト化を図ることができる。
【発明を実施するための最良の形態】
【００１９】
本発明の最良の実施の形態について図面を参照して詳細に説明する。
【実施例】
【００２０】
図２は、本発明の実施例における車載用音響システムの構成例を示す図である。同図において、車載用音響システム１０は、車内に設置された車載用音響装置２０と、車載用音響装置に接続される複数の携帯用音響端末３０（３０−１、３０−２、３０−３、３０−４）とを含んでいる。接続される携帯用音響端末の数に特に制限はないが、ここでは、車両のフロントシートとリアシートに着席した４名の乗員が携帯用音響端末を持参している場合を想定している。
【００２１】
本実施例の車載用音響システムでは、車載用音響装置２０と携帯用音響端末３０は、双方向のデータ通信が可能である。携帯用音響端末３０は、車載用音響装置２０と互換性のある命令を制御データ４０として車載用音響装置２０へ送信し、車載用音響装置２０は、受信した制御データを解読し、自身の動作を制御したり、その制御データに基づき他の携帯用音響端末を制御するための制御データ４０を送信する。また、車載用音響装置２０は、携帯用音響端末３０に対しデータ４２を送信したり、携帯用音響端末３０からデータ４２を受信をすることが可能である。
【００２２】
車載用音響装置２０は、ＣＤ、ＤＶＤ、またはハードディスク装置等の記録媒体に格納された音楽データやビデオデータを再生し、またはそれらに音楽データやビデオデータを記録する機能を備えている。さらに、ラジオ放送やテレビ放送を受信するチューナや、ナビゲーション機能を含むＡＶＮ装置であってもよい。
【００２３】
携帯用音響端末３０−１〜３０−４は、バッテリによる駆動が可能であり、小型・軽量化されたハンディタイプのポータブルデバイスである。図３に、携帯用音響端末の構成例を示す。携帯用音響端末は、ユーザからのオーディオ操作等を入力する入力部１００、音楽データや画像データ等を記憶する記憶部１０２、記憶部に記憶された音楽データや画像データを再生する再生部１０４、再生された画像データやその他の情報を表示するディスプレイ１０６、再生された音楽データを音声出力するスピーカまたはヘッドホン１０８、車載用音響装置２０とのデータ通信を行うデータ通信部１１０、各部の動作を制御するコントローラ１１２とを含んで構成される。
【００２４】
音楽データ等を記憶する記憶部１０２は、例えば、読み書き可能な半導体メモリやハードディスク装置を用いて構成される。データ通信部１１０は、車載用音響装置２０との間で双方向のデータ通信を可能とし、制御データ、音楽データ、画像データ等のデータ通信を行う。データ通信方式は、無線または有線のいずれであってもよく、例えば、有線／無線ＬＡＮやブルートゥースなどを利用することができる。データ通信部１１０はさらに、音楽データを配信するネットワークサーバに接続され、そこから配信された音楽データ等を記憶部１０２に保存することも可能である。
【００２５】
図４は、本実施例に係る車載用音響装置の構成を示すブロック図である。車載用音響装置２０は、複数の携帯用音響端末３０−１〜３０−４との間で双方向のデータ通信を可能にするデータ通信部２００、携帯用音響端末から読取られたディジタルオーディオ信号をアナログオーディオ信号に変換するディジタル・アナログコンバータ（ＤＡＣ）２０２、アナログオーディオ信号を増幅するアンプ２０４、増幅されたオーディオ信号を可聴音に変換するスピーカ２０６、ＣＤやＤＶＤ等に記録されたオーディオデータや画像データを読取り、これらのデータの再生を行う再生部２１０、再生された画像データやその他の情報を表示する表示部２１２、各部の制御を行うコントローラ２２０、ユーザからの指示を入力する入力部２２２、種々のデータを格納するメモリ２３０を含んでいる。
【００２６】
コントローラ２２０は、内部のＲＡＭ／ＲＯＭにプログラムを格納し、このプログラムに従い、各部を制御する。さらにコントローラ２２０は、携帯用音響端末からの制御データに含まれる命令を解読し、それに応答して各部を制御したり、あるいは他の携帯用音響端末の動作を制御するための制御データを生成し、これをデータ通信部２００から送信する。例えば、コントローラ２２０は、携帯用音響端末３０から制御データを受け取り、その制御データに基づき接続されている携帯用音響端末が保有する音楽データに関するコンテンツ情報を入手したり、他の携帯用音響端末に含まれる音楽データを取得し、これを再生する。
【００２７】
次に、本実施例の車載用音響システムの動作について説明する。
（１）再生動作
図２に示す携帯用音響端末Ｄ（３０−４）から携帯用音響端末Ａ（３０−１）に記憶された音楽データを再生する動作を図５のフローを参照して説明する。先ず、コントローラ２２０は、データ通信部２００に接続されている携帯用音響端末の有無をチェックする（ステップＳ１０１）。このチェックは、車載用音響装置２０の電源投入時または携帯用音響端末３０が接続されたときに行われる。
【００２８】
携帯用音響端末の接続が確認されると、コントローラ２２０は、携帯用音響端末に記憶された再生可能な音楽データを検索する（ステップＳ１０２）。すなわち、コントローラ２２０は、各携帯用音響端末が保有している音楽データのリストを作成するため、音楽データに関するコンテンツ情報の出力を要求する制御データをデータ通信部２００を介して携帯用音声端末Ａ〜Ｄに送信する（ステップＳ１０３）。
【００２９】
各携帯用音響端末は、この制御データを受信すると、これに応答して、自身が保有している音楽データに関するコンテンツ情報と端末ＩＤを車載用音響装置２０へ送信する（ステップＳ１０４）。コンテンツ情報は、音楽データの曲名、アーティスト名、アルバム名、ジャンル、演奏時間、ビットレートなどの情報である。また、端末ＩＤは、携帯用音響端末を識別するための情報である。
【００３０】
コントローラ２２０は、各携帯用音響端末からコンテンツ情報と端末ＩＤを受信すると、再生可能な音楽データのリストを作成する（ステップＳ１０５）。リストは、例えば図６に示すように、音楽データの曲名と携帯用音響端末との対応関係を含み、さらに、アーティスト名、アルバム名、ジャンルなどを加えるようにしてもよい。
【００３１】
次に、コントローラ２２０は、データ通信部２００を介してリストのデータを携帯用音響端末Ｄに送信する（ステップＳ１０６）。携帯用音響端末Ｄは、リストデータを受信すると、これをディスプレイ１０６に表示する（ステップＳ１０７）。
【００３２】
ユーザは、ディスプレイ１０６に表示されたリストを参照し、再生を所望する曲名を選択する（ステップＳ１０８）。曲名が選択されると、携帯用音響端末Ｄから選択された曲名の再生を要求する制御データが車載用音響装置２０へ送信される（ステップＳ１０９）。コントローラ２２０は、この制御データを解読し、選択された曲名の音楽データを保有している携帯用音響端末Ａを特定し、その携帯用音響端末Ａに対し音楽データの送信を要求する制御データを送信する（ステップＳ１１０）。仮に、ユーザによって曲名Ａ１が選択されたならば、コントローラ２２０は、携帯用音響端末Ａに対して曲名Ａ１の音楽データの出力を要求する制御データを送信する。
【００３３】
携帯用音響端末Ａは、制御データを受信すると、制御データを解読し、その結果、曲名Ａ１に対応する音楽データを車載用音響装置２０へ送信する（ステップＳ１１１）。コントローラ２２０は、音楽データを受信すると、当該音楽データを再生し、スピーカ２０６より音声を出力する（ステップＳ１１２）。
【００３４】
こうして、携帯用音響端末Ｄから車載用音響装置２０を介して携帯用音響端末Ａに保有されている音楽データを再生することができる。曲名Ａ１を再生中に、その再生を一時停止させたり、停止させる場合には、携帯用音響端末Ｄの入力部１００から該当する指示を入力する。この入力に応答して、携帯用音響端末Ｄから制御データが車載用音響装置２０へ送信され、コントローラ２２０は、当該制御データに基づき自身の動作を制御する。仮に、入力部１００から一時停止の指示が入力されれば、コントローラ２２０は、音楽データの再生を一時停止する。コントローラ２２０はさらに、必要があれば、携帯用音響端末Ａに対して入力部１００からの指示に対応する制御データを送信する。例えば、音楽データの停止が指示されれば、コントローラ２２０は、音楽データの送信の停止を要求する制御データを携帯用音響端末Ａに送信する。
【００３５】
（２）検索動作
上記の再生動作の例では、コントローラ２２０は、接続されている携帯用音響端末に含まれる音楽データに関するコンテンツ情報を自動的に収集するようにしたが、携帯用音響端末から所望の音楽データを検索することも可能である。図７は、検索動作を説明する動作フローである。
【００３６】
車載用音響装置２０のコントローラ２２０は、接続された携帯用音響端末から再生可能な音楽データに関するコンテンツ情報を取得し（ステップＳ２０１）、音楽データについてのリストを作成する（ステップＳ２０２）。作成されたリストは、メモリ２３０に保存される。ここまでの動作は、上記の再生動作のときと同様である。
【００３７】
次に、携帯用音響端末Ｄから検索の指示が入力される（ステップＳ２０３）。ユーザは、例えば、曲名、アーティスト名、あるいはジャンル等の検索子を入力する。この検索を要求する制御データは、携帯用音響端末Ｄから携帯用音響装置２０へ送信される（ステップＳ２０４）。コントローラ２２０は、受信した制御データを解読し、メモリ２３０に記憶されているリストを読み出し、リスト内において検索を実行する（ステップＳ２０５）。例えば、検索子がアーティスト名であれば、コントローラ２２０は、リストの中に一致するアーティスト名が存在するか否かを検索する。
【００３８】
コントローラ２２０は、検索の結果、リストの中から一致する音楽データに関するコンテンツ情報を抽出する（ステップＳ２０６）。仮に、リストの中に一致するアーティスト名があった場合には、一致したアーティスト名に関するコンテンツ情報を抽出する。
【００３９】
次に、コントローラ２２０は、抽出されたコンテンツ情報を携帯用音響端末Ｄに送信する（ステップＳ２０７）。送信されたコンテンツ情報は、携帯用音響端末のディスプレイ１０６に表示される（ステップＳ２０８）。検索されたコンテンツ情報が複数あるとき、端末ＩＤ毎に分けて表示してもよいし、曲名を５０音順に表示してもよい。さらに、同一の曲名が存在する場合には、例えば、「サクラ  携帯端末Ａ」、「サクラ  携帯端末Ｂ」のような識別表示を与えるようにする。また、同一の曲名であっても、音楽データのビットレートが異なれば、音質が違うので、併せて、ビットレート等の情報を付加するようにしてもよい。
【００４０】
ユーザは、ディスプレイに表示されたコンテンツ情報を閲覧し、この中から再生を希望する曲名を選択する（ステップＳ２０９）。以後は、上記した再生動作と同様にして再生が行われる。
【００４１】
次に、本実施例の車載用音響システムの他の使用例について説明する。携帯用音響端末は、音楽データとそれに関連する画像データを含み、音楽データを再生するとき、関連付けされた映像をディスプレイ１０６に表示することができる。例えば、音楽データの再生中に、当該音楽データに関連するプロモーションビデオが表示されたり、あるいは、ユーザによって任意に関連付けされた静止画や動画を表示させることができる。
【００４２】
例えば、携帯用音響端末Ｄから携帯用音響端末Ａに含まれる音楽データを再生させるとき、その音楽データに関連付けされた画像データを車載用音響装置２０において取得し、車載用音響装置２０は、取得した画像データを他の携帯用音響端末に配信する。これにより、音楽データが再生されている間、携帯用音響端末Ａ〜Ｄの各ディスプレイ１０６において、同じ画像をディスプレイに表示させることができる。さらに、車載用音響装置のディスプレイ２１２にも表示させてもよい。
【００４３】
また、車載用音響装置２０のディスプレイ２１２に情報を表示するとき、当該情報を携帯用音響端末に送信し、携帯用音響端末３０のディスプレイ１０６に表示させることが可能である。例えば、車載用音響装置２０においてＣＤやＤＶＤに記録されたオーディオデータを再生中に、そのタイトルや現在の再生時間をディスプレイ２１２に表示するとき、それと同様のメッセージを携帯用音響端末のディスプレイ１０６に表示させる。
【００４４】
また、車載用音響装置がナビゲーション装置に接続され、またはナビゲーション機能を内蔵し、ディスプレイ２１２に道路案内が表示されるとともに、「到着まであと○○分です」、「この先右急カーブです」などのメッセージが表示されるとき、それと同様のメッセージを携帯用音響端末のディスプレイ１０６に表示させるようにしてもよい。特に、リアシートの乗員にとって、フロント側に設置された車載用音響装置のディスプレイ２１２の表示は見難くなるので、便利である。
【００４５】
さらに、車載用音響装置においてナビゲーションの操作中であっても、携帯用音響端末からオーディオ操作の指示が成されたとき、その指示を車載用音響装置で受け付けるようにする。例えば、目的地の設定の操作中であっても、携帯用音響端末から曲送りやボリューム操作の指示があれば、それらの指示を受け付ける。
【００４６】
以上、本発明の好ましい実施の形態について詳述したが、本発明に係る特定の実施形態に限定されるものではなく、特許請求の範囲に記載された本発明の要旨の範囲内において、種々の変形・変更が可能である。
【産業上の利用可能性】
【００４７】
本発明は、複数の携帯用音響端末を接続し、その携帯用音響端末に記憶された音楽データや画像データを再生可能な車載用音響システムに利用される。
【図面の簡単な説明】
【００４８】
【図１】従来の車載用音響システムの概略構成を示す図である。
【図２】本発明の実施例に係る車載用音響システムの概略構成を示す図である。
【図３】携帯用音響端末の構成例を示すブロック図である。
【図４】本実施例に係る車載用音響装置の構成を示すブロック図である。
【図５】本実施例の車載用音響システムにおける再生動作を説明するフローである。
【図６】コンテンツ情報から生成されるリストを説明する図である。
【図７】本実施例の車載用音響システムにおける検索動作を説明するフローである。
【符号の説明】
【００４９】
１０：車載用音響システム              ２０：車載用音響装置
３０−１〜３０−４：携帯用音響端末    ４０：楽曲情報データ
４２：制御データ                    １００：入力部
１０２：記憶部                      １０４：再生部
１０６：ディスプレイ                １０８：スピーカ
１１０：データ通信部                １１２：コントローラ
２００：データ通信部                ２０２：ＤＡＣ
２０４：アンプ                      ２０６：スピーカ
２１０：再生部                      ２１２：ディスプレイ
２２０：コントローラ                ２２２：入力部
２３０：メモリ
【図１】
2008021337.tif 000003
【図２】
2008021337.tif 000004
【図３】
2008021337.tif 000005
【図４】
2008021337.tif 000006
【図５】
2008021337.tif 000007
【図６】
2008021337.tif 000008
【図７】
2008021337.tif 000009